(57)【特許請求の範囲】
【請求項１】
ハウジング、該ハウジングに収容された複数の高速伝送用のコンタクト及び複数の低速伝送用のコンタクト、及び前記ハウジングに収容された単一の接地バーを有するケーブルコネクタと、高速伝送用の少なくとも１本の同軸ケーブル、又はドレーン線を有する高速伝送用の少なくとも１本のツインアクスケーブルと、低速伝送用の複数本の絶縁電線とを備え、前記複数の高速伝送用のコンタクトが複数の信号用のコンタクト及び複数の接地用のコンタクトを備え、前記複数の低速伝送用のコンタクトが複数の信号用のコンタクト及び複数の接地用のコンタクトを備えたケーブルコネクタ組立体であって、
前記高速伝送用の同軸ケーブルの編組線又は前記高速伝送用のツインアクスケーブルのドレーン線、及び前記低速伝送用の絶縁電線の芯線が、前記単一の接地バーに接続されており、
前記低速伝送用の絶縁電線が、信号用の絶縁電線と接地用の絶縁電線とを含み、前記単一の接地バーに接続される前記低速伝送用の絶縁電線の芯線は、前記接地用の絶縁電線の芯線であることを特徴とするケーブルコネクタ組立体。
【請求項２】
前記複数の低速伝送用のコンタクト及び前記複数の高速伝送用のコンタクトは、前記ハウジングに一列状に配置されるものであり、前記複数の低速伝送用のコンタクトの配置に続いて前記複数の高速伝送用のコンタクトが配置されていることを特徴とする請求項１に記載のケーブルコネクタ組立体。
【発明の詳細な説明】
【技術分野】
【０００１】
本発明は、ケーブルコネクタ組立体に関する。
【背景技術】
【０００２】
情報処理機器、通信機器及び電子機器などにおいては、高速伝送と、低速伝送との双方の伝送を可能にさせたいという要求がある。この要求を満足させるため、高速伝送用の同軸ケーブル又はツインアクスケーブルと、低速信号用の絶縁電線とをケーブルコネクタに接続することが一般に行われている。
そして、高速伝送用の同軸ケーブルの芯線又はツインアクスケーブルの芯線はケーブルコネクタ側の高速伝送用のコンタクトにおける信号用のコンタクトに結線される。その一方、同軸ケーブルにおける編組線又はツインアクスケーブルのドレーン線は、ケーブルコネクタ側の高速伝送用のコンタクトにおける接地用のコンタクトなどの接地ラインに結線されるのが一般的である。
【０００３】
また、低速信号用の絶縁電線のうち信号用の絶縁電線は、ケーブルコネクタ側の低速伝送用のコンタクトにおける信号用のコンタクトに結線される。その一方、絶縁電線のうち接地用の絶縁電線は、ケーブルコネクタ側の低速伝送用のコンタクトにおける接地用のコンタクトなどの、前記接地ラインとは別個の接地ラインに結線されるのが一般的である。
ここで、高速伝送用の同軸ケーブルをケーブルコネクタに結線したケーブルコネクタ組立体として、例えば、図３に示すものが知られている（特許文献１参照）。
【０００４】
図３に示すケーブルコネクタ組立体１００は、ケーブルコネクタ１１０と、このケーブルコネクタ１１０に結線される複数本の同軸ケーブル１２０とで構成される。
ここで、各同軸ケーブル１２０は、芯線１２１と、この芯線１２１を取り囲む絶縁体（図示せず）と、絶縁体の外周に配置された編組線１２２と、編組線１２２の外周に配置された外被１２３とを備えている。
【０００５】
ケーブルコネクタ１１０は、複数本の同軸ケーブル１２０の編組線１２２が接続されるグランドバー１１１と、複数本の同軸ケーブル１２０の各々の芯線１２１が接続される複数のコンタクト（図示せず）とを備えている。各コンタクトは、グランドバー１１１に対して絶縁されている。
グランドバー１１１は、金属板を打抜き及び曲げ加工することによって形成される。グランドバー１１１は、複数本の同軸ケーブル１２０の編組線１２２を接続することによって当該同軸ケーブル１２０の並列配置とともに各編組線１２２の等電位化を実現している。
【０００６】
また、グランドバー１１１は、プラスチックカバー１１２上に載置されると共に、上から金属製のシェル１１３が被せられる。シェル１１３は、グランドバー１１１をプラスチックカバー１１２で挟んだ状態でプラスチックカバー１１２を抱えるように取り付けられる。シェル１１３は、舌片１１３ａでグランドバー１１１に半田接続される。シェル１１３には、下方に延出する端子部１１３ｂが設けられている。端子部１１３ｂは、ケーブルコネクタ１１０を相手コネクタ（図示せず）と接続した状態で回路基板（図示せず）の接地パターンに接触する。
【先行技術文献】
【特許文献】
【０００７】
【特許文献１】特開２００５−１１６４４７号公報
【発明の概要】
【発明が解決しようとする課題】
【０００８】
しかしながら、この従来のケーブルコネクタ組立体１００にあっては、以下の問題点があった。
ケーブルコネクタ１００においては、全ての同軸ケーブル１２０の編組線１２２がグランドバー１１１に接続されているが、グランドバー１１１は基準となる接地単線に接続されていない。即ち、グランドバー１１１は、高速伝送用の同軸ケーブル１２０の編組線１２２に接続されているが、低速伝送用の絶縁電線のうちの接地用の絶縁電線（接地単線）には接続されていない。
【０００９】
ここで、ケーブルコネクタ組立体１００において、従来のように、低速伝送用の絶縁電線のうち信号用の絶縁電線を、ケーブルコネクタ１１０側の信号用のコンタクトに結線する。また、低速伝送用の絶縁電線のうち接地用の絶縁電線を、ケーブルコネクタ１１０側の、前記グランドバー１１１とは別個の接地単線に接続することが考えられる。
しかしながら、このように、低速伝送用の絶縁電線のうち接地用の絶縁電線を、ケーブルコネクタ１１０側の、高速伝送用の同軸ケーブル１２０の編組線１２２に接続されたグランドバー１１１とは別個の接地単線に接続すると、同軸ケーブル１２０側の接地ラインと絶縁電線側の接地ラインとで接地基準の電位が異なってしまうことなる。同軸ケーブル１２０側の接地ラインと絶縁電線側の接地ラインとで接地基準の電位が異なると、信号の完全性（integrity）が達成できない。
【００１０】
従って、本発明は、上述の問題点に鑑みてなされたものであり、その目的は、同軸ケーブル又はツインアクスケーブル側の接地ラインと絶縁電線側の接地ラインとの全ての接地基準の電位を等しくすることによって信号の完全性を達成できるケーブルコネクタ組立体を提供することにある。
【課題を解決するための手段】
【００１２】
上記目的を達成するために、本発明のうち請求項１に係るケーブルコネクタ組立体は、ハウジング、該ハウジングに収容された複数の高速伝送用のコンタクト及び複数の低速伝送用のコンタクト、及び前記ハウジングに収容された単一の接地バーを有するケーブルコネクタと、高速伝送用の少なくとも１本の同軸ケーブル、又はドレーン線を有する高速伝送用の少なくとも１本のツインアクスケーブルと、低速伝送用の複数本の絶縁電線とを備え、前記複数の高速伝送用のコンタクトが複数の信号用のコンタクト及び複数の接地用のコンタクトを備え、前記複数の低速伝送用のコンタクトが複数の信号用のコンタクト及び複数の接地用のコンタクトを備えたケーブルコネクタ組立体であって、前記高速伝送用の同軸ケーブルの編組線又は前記高速伝送用のツインアクスケーブルのドレーン線、及び前記低速伝送用の絶縁電線の芯線が、前記単一の接地バーに接続されており、前記低速伝送用の絶縁電線が、信号用の絶縁電線と接地用の絶縁電線とを含み、前記単一の接地バーに接続される前記低速伝送用の絶縁電線の芯線は、前記接地用の絶縁電線の芯線であることを特徴としている。
また、本発明のうち請求項２に係るケーブルコネクタ組立体は、請求項１記載のケーブルコネクタ組立体において、前記複数の低速伝送用のコンタクト及び前記複数の高速伝送用のコンタクトは、前記ハウジングに一列状に配置されるものであり、前記複数の低速伝送用のコンタクトの配置に続いて前記複数の高速伝送用のコンタクトが配置されていることを特徴としている。
【発明の効果】
【００１４】
本発明に係るケーブルコネクタ組立体によれば、同軸ケーブルの編組線又はツインアクスケーブルのドレーン線、及び絶縁電線の芯線が、単一の接地バーに接続されているので、同軸ケーブル又はツインアクスケーブル側の接地ラインと絶縁電線側の接地ラインとの全ての接地基準の電位を等しくすることができ、これにより信号の完全性を達成できるケーブルコネクタ組立体とすることができる。
【図面の簡単な説明】
【００１５】
【図１】本発明に係るケーブルコネクタ組立体において、同軸ケーブル及び絶縁電線をケーブルコネクタに結線する前の状態を模式的に示す平面図である。
【図２】図１に示すケーブルコネクタ組立体において、同軸ケーブル及び絶縁電線をケーブルコネクタに結線した状態を模式的に示す平面図である。
【図３】従来のケーブルコネクタ組立体の分解斜視図である。
【発明を実施するための形態】
【００１６】
以下、本発明の実施の形態を図１及び図２を参照して説明する。
図１及び図２に示すケーブルコネクタ組立体１は、情報処理機器、通信機器及び電子機器などにおいて、高速伝送と、低速伝送との双方の伝送を可能にするため用いられる。
このケーブルコネクタ組立体１は、ケーブルコネクタ１０と、複数本（本実施形態にあっては、７本）の同軸ケーブル２０と、複数本（本実施形態にあっては、３３本）の絶縁電線３０とを備えている。
ここで、各同軸ケーブル２０は、高速伝送に用いられる。各同軸ケーブル２０は、芯線２１と、芯線２１を取り囲む絶縁体（図示せず）と、絶縁体の外周に配置された編組線２２と、編組線２２の外周に配置された外被２３とを備えている。
【００１７】
また、複数本の絶縁電線３０は、複数本（本実施形態にあっては、２５本）の信号用の絶縁電線３０ａと、複数本（本実施形態にあっては、８本）の接地用の絶縁電線３０ｂとを備えている。信号用及び接地用の絶縁電線３０ａ，３０ｂは、低速伝送に用いられる。そして、各信号用及び接地用の絶縁電線３０ａ，３０ｂは、芯線３１と、この芯線３１の外周に配置される絶縁性の外被３２とを備えている。
【００１８】
一方、ケーブルコネクタ１０は、絶縁性のハウジング１１と、ハウジング１１に収容された複数（本実施形態にあっては、４４個）のコンタクト１２，１３と、ハウジング１１に収容された単一の接地バー１４とを備えている。
複数のコンタクト１２，１３は、複数（本実施形態にあっては３３個）の低速伝送用のコンタクト１２と複数（本実施形態にあっては１１個）の高速伝送用のコンタクト１３とを備えている。低速伝送用のコンタクト１２及び高速伝送用のコンタクト１３は導電性金属板を打抜き加工、又は打抜き及び曲げ加工することによって形成される。
複数の低速伝送用のコンタクト１２は、複数（本実施形態にあっては、２５個）の信号用のコンタクト１２ａと、複数（本実施形態にあっては、８個）の接地用のコンタクト１２ｂとを備えている。
【００１９】
また、複数の高速伝送用のコンタクト１３は、複数（本実施形態にあっては、７個）の信号用のコンタクト１３ａと、複数（本実施形態にあっては、４個）の接地用のコンタクト１３ｂとを備えている。
ここで、複数の低速伝送用のコンタクト１２及び複数の高速伝送用のコンタクト１３は、図１に示すように、ハウジング１１の幅方向（図１における上下方向）に沿って１列状に配置されている。このうち、低速伝送用のコンタクト１２は、ハウジング１１の左端部（図１における上端部）近傍からコンタクトＮｏ．が１〜３３まで配置される。高速伝送用のコンタクト１３は、それに続いてコンタクトＮｏ．が３４〜４４まで配置される。
【００２０】
そして、低速伝送用のコンタクト１２のうち信号用のコンタクト１２ａは、具体的には、コンタクトＮｏ．が１、３〜５、７〜１３、１５〜１９、２２〜２５、２８、及び３０〜３３に配置される。また、低速伝送用のコンタクト１２のうち接地用のコンタクト１２ｂは、コンタクトＮｏ．が２、６、１４、２０、２１、２６、２７、及び２９に配置される。更に、高速伝送用のコンタクト１３のうち信号用のコンタクト１３ａは、コンタクトＮｏ．が３５、３６、３８、３９、４１、４２、及び４４に配置される。また、高速伝送用のコンタクト１３のうち接地用のコンタクト１３ｂは、コンタクトＮｏ．が３４、３７、４０、及び４３に配置される。
低速伝送用及び高速伝送用のコンタクト１２、１３のうち信号用のコンタクト１２ａ、１３ａは、ケーブルコネクタ１０が接続される別個の信号回路に接続される。また、低速伝送用及び高速伝送用のコンタクト１２、１３のうち接地用のコンタクト１２ｂ、１３ｂは、接地回路に接続される。
【００２１】
また、ハウジング１１に収容される接地バー１４は、図１に示すように、ハウジング１１の幅方向に沿ってハウジング１１を横断するように延びる長尺板状に形成される。接地バー１４は、導電性金属板を打抜き及び曲げ加工することによって形成される。接地バー１４は、低速伝送用及び高速伝送用のコンタクト１２、１３の後方側（図１における左方側）に設置される。接地バー１４には、複数（本実施形態にあっては、１２個）の脚部１４ａが設けられている。図１に示すように、接地バー１４の脚部１４ａは、低速伝送用及び高速伝送用のコンタクト１２、１３のうち接地用のコンタクト１２ｂ、１３ｂに半田接続部ｗ１で半田接続される。
そして、図２に示すように、複数本の絶縁電線３０のうち信号用の絶縁電線３０ａの芯線３１は、低速伝送用における信号用のコンタクト１２ａに半田接続部ｗ３で半田接続される。また、複数本の絶縁電線３０のうち接地用の絶縁電線３０ｂの芯線３１は、接地バー１４上に半田接続部ｗ２で半田接続される。
【００２２】
一方、図２に示すように、複数本の同軸ケーブル２０の芯線２１は、高速伝送用のコンタクト１３のうち信号用のコンタクト１３ａに半田接続部ｗ５で半田接続される。また、複数本の同軸ケーブル２０の編組線２２は、接地バー１４上に半田接続部ｗ４で半田接続される。
このように、複数本の絶縁電線３０及び同軸ケーブル２０をケーブルコネクタ１０側に接続すると、ケーブルコネクタ組立体１は完成する。
【００２３】
ケーブルコネクタ１が完成すると、複数本の絶縁電線３０のうち信号用の絶縁電線３０ａの芯線３１は、低速伝送用における信号用のコンタクト１２ａを介して、ケーブルコネクタ１０が接続される別個の信号回路に電気的に接続される。また、複数本の絶縁電線３０のうち接地用の絶縁電線３０ｂの芯線３１は、接地バー１４、及び低速伝送用のコンタクト１２のうち接地用のコンタクト１２ｂを介して、ケーブルコネクタ１０が接続される接地回路に電気的に接続される。
【００２４】
また、ケーブルコネクタ１が完成すると、複数本の同軸ケーブル２０の芯線２１は、高速伝送用のコンタクト１３のうち信号用のコンタクト１３ａを介して、ケーブルコネクタ１０が接続される別個の信号回路に電気的に接続される。また、複数本の同軸ケーブル２０の編組線２２は、接地バー１４、及び高速伝送用のコンタクト１３のうち接地用のコンタクト１３ｂを介して、ケーブルコネクタ１０が接続される接地回路に電気的に接続される。
【００２５】
ここで、本実施形態に係るケーブルコネクタ組立体１によれば、同軸ケーブル２０の編組線２２及び接地用の絶縁電線３０ｂの芯線３１が、単一の接地バー１４に接続されている。このため、同軸ケーブル２０側の接地ラインと絶縁電線３０側の接地ラインとの全ての接地基準の電位を等しくすることができ、これにより信号の完全性を達成できるケーブルコネクタ組立体１とすることができる。
即ち、高速伝送用の同軸ケーブル２０側の接地ラインと低速伝送用の絶縁電線３０側の接地ラインとの全て接地基準の電位を等しくすることで信号の完全性を達成する。
以上、本発明の実施形態について説明してきたが、本発明はこれに限定されずに種々の変更、改良を行うことができる。
【００２６】
例えば、同軸ケーブル２０に代えてツインアクスケーブル（Twinax Cable）と呼ばれるケーブルを接続するようにしてもよい。このツインアクスケーブルは、図示はしないが、２本の芯線と、これら２本の芯線の各々を取り囲む２つの絶縁体と、これら絶縁体の外周に設けられた外部導体と、この外部導体の外周に設けられた外被とを具備する。そして、外部導体と外被との間には、外部導体に電気的に接触しているドレーン線が設けられている。
このツインアクスケーブルを接続するに際しては、ツインアクスケーブルの芯線を、高速伝送用のコンタクト１３のうち信号用のコンタクト１３ａに接続する。また、ツインアクスケーブルのドレーン線を、接地バー１４に接続する。
【００２７】
また、同軸ケーブル２０や上述したツインアクスケーブル及び絶縁電線３０は、複数本設ける必要は必ずしもなく、少なくとも１本設ければよい。
更に、同軸ケーブル２０や上述したツインアクスケーブル及び絶縁電線３０は、必ずしもケーブルコネクタ１０に接続される必要はなく（必ずしもハウジング１１及びコンタクト１２，１３を有するものに接続されなくても良い）、少なくとも１本の同軸ケーブル２０、又は少なくとも１本のツインアクスケーブルと、少なくとも１本の絶縁電線３０と、単一の接地バー１４とを有する結線構造としてもよい。この場合、同軸ケーブル２０の編組線２２又はツインアクスケーブルのドレーン線、及び絶縁電線３０（接地用の絶縁電線３０ｂ）の芯線３１が、単一の接地バー１４に接続される。
【００２８】
また、ツインアクスケーブルを使用する場合、ドレーン線の代わりに外部導体を接地バー１４に接続してもよい。
【符号の説明】
【００２９】
１  ケーブルコネクタ組立体
１０  ケーブルコネクタ
１１  ハウジング
１２  低速伝送用のコンタクト（コンタクト）
１２ａ  低速伝送用のコンタクトのうち信号用のコンタクト
１２ｂ  低速伝送用のコンタクトのうち接地用のコンタクト
１３  高速伝送用のコンタクト（コンタクト）
１３ａ  高速伝送用のコンタクトのうち信号用のコンタクト
１３ｂ  高速伝送用のコンタクトのうち接地用のコンタクト
１４  接地バー
２０  同軸ケーブル
２２  編組線
３０  絶縁電線
３０ａ  信号用の絶縁電線
３０ｂ  接地用の絶縁電線
３１  芯線
【図１】
0005580144.tif 000002
【図２】
0005580144.tif 000003
【図３】
0005580144.tif 000004